(57)【特許請求の範囲】
【請求項１】
駆動部からの動力を受けて演出を行う演出装置を備えた遊技機において、
前記演出装置は、
動力を発生する駆動部と、
前記遊技機の機内部における所定部に設けられたベース部材と、
前記ベース部材に設けられた支持部材と、
前記支持部材により、前記機内部における第１の位置と第２の位置との間を往復移動するように支持されたメイン可動体と、
前記メイン可動体に設けられ、その一端部と他端部との間において軸支されたサブ可動体と、
を有し、
前記支持部材は、前記サブ可動体の一端部に当接し、前記メイン可動体が前記駆動部の動力を受けて位置移動するとき、前記支持部材が前記メイン可動体に対し相対的に移動して、前記支持部材における前記一端部との当接位置が変わることにより、前記サブ可動体を移動させる駆動機構を有する
ことを特徴とする遊技機。
【請求項２】
駆動部からの動力を受けて演出を行う演出装置を備えた遊技機において、
前記駆動部は、第１の駆動部および第２の駆動部を備え、
前記演出装置は、
前記遊技機の機内部における所定部に設けられたベース部材と、
前記ベース部材に設けられた支持部材と、
前記支持部材により、前記機内部における第１の位置と第２の位置との間を往復移動するように支持されたメイン可動体と、
前記メイン可動体に設けられたサブ可動体と、
を有し、
前記支持部材は、前記メイン可動体が前記第１の駆動部の動力を受けて位置移動するとき、前記サブ可動体を前記メイン可動体の背後の隠蔽位置と、前記メイン可動体の背後から露出された露出位置との間を往復移動させる駆動機構を有し、
前記サブ可動体は、前記第２の駆動部の動力を受けて前記隠蔽位置と前記露出位置を往復移動することにより所定の演出動作が可能な演出可動部材を有することを特徴とする遊技機。
【請求項３】
前記支持部材は、前記メイン可動体が前記第１の位置にあるとき、前記支持部材と前記ベース部材にて接地可能なアース機構を有することを特徴とする請求項２に記載の遊技機。
【請求項４】
前記駆動機構は、前記メイン可動体の移動に伴い回転するカム部を有し、
前記サブ可動体の一端部は前記カム部に当接する当接端を有し、
前記サブ可動体の他端部は、前記カム部の回転による前記当接端の移動により前記軸支の位置を中心に揺動する
ことを特徴とする請求項１に記載の遊技機。
【請求項５】
前記機内部における中央部には図柄を可変表示する図柄表示部が設けられ、
前記第２の位置は、前記図柄表示部の前方位置であり、
前記サブ可動体の少なくとも一部は、前後方向に光を透過させる透光部として形成されている
ことを特徴とする請求項１から請求項４のいずれかに記載の遊技機。
【請求項６】
前記演出装置は、前記機内部に配置された遊技盤に設けられることを特徴とする請求項１から請求項５のいずれかに記載の遊技機。
【発明の詳細な説明】
【技術分野】
【０００１】
本発明は、可動体により演出を行う遊技機に関する。
【背景技術】
【０００２】
最近の遊技機においては、可動体を盤面上に複数設けているのが主流であり、複数の可動体により各種演出を行うように構成されている。
【０００３】
ただし、可動体を設置できるスペースには限りがあるため、その限られたスペースにおいて、いかに多彩な可動演出を実現させるかが求められている。
【０００４】
二つの可動体を備え、各可動体の多彩な動きを実現させている従来の技術がある（例えば、特許文献１）。
【０００５】
この従来の技術では、細部にわたって細かい演出を実現することが可能であるため、より遊技者を惹きつけることができる。
【先行技術文献】
【特許文献】
【０００６】
【特許文献１】特開２００７−３７７２９号公報
【発明の概要】
【発明が解決しようとする課題】
【０００７】
しかしながら、従来の技術では、二つの可動体を動作させるための二つのモータ（駆動部）がそれぞれ設けられているため、駆動部が増えることによるコスト面の問題、およびモータが増えた分だけ設置スペースが必要になるという課題が残されていた。
【０００８】
本件は、コストを低減し、駆動部の設置スペースを削減するとともに、可動体による多彩な可動演出を実現することが可能な遊技機を提供することを目的とする。
【課題を解決するための手段】
【０００９】
かかる目的を達成するための本発明の請求項１に記載の遊技機は、駆動部からの動力を受けて演出を行う演出装置を備えた遊技機において、前記演出装置は、動力を発生する駆動部と、前記遊技機の機内部における所定部に設けられたベース部材と、前記ベース部材に設けられた支持部材と、前記支持部材により、前記機内部における第１の位置と第２の位置との間を往復移動するように支持されたメイン可動体と、前記メイン可動体に設けられ、その一端部と他端部との間において軸支されたサブ可動体と、を有し、前記支持部材は、前記サブ可動体の一端部に当接し、前記メイン可動体が前記駆動部の動力を受けて位置移動するとき、前記支持部材が前記メイン可動体に対し相対的に移動して、前記支持部材における前記一端部との当接位置が変わることにより、前記サブ可動体を移動させる駆動機構を有することを特徴とする。
【発明の効果】
【００１０】
本発明に係る遊技機によれば、コストを低減し、駆動部の設置スペースを削減するとともに、可動体による多彩な可動演出を実現することが可能となる。
【図面の簡単な説明】
【００１１】
【図１】本発明の一実施形態の遊技機の全体を示す模式図である。
【図２】遊技機に配される遊技盤を示す模式図である。
【図３】第１の位置に移動した演出装置を後から見たときの概念図である。
【図４】第１の位置と第２の位置との間の中間位置に移動した演出装置を後から見たときの概念図である。
【図５】第２の位置に移動した演出装置を後から見たときの概念図である。
【図６】第１の位置に移動した演出装置を斜め前方から見たときの斜視図である。
【図７】第１の位置に移動した演出装置を斜め後方から見たときの斜視図である。
【図８】第１の位置に移動した演出装置を前方から見たときの背面図である。
【図９】ベース部材が外され、第１の位置に移動した演出装置を後方から見たときの背面図である。
【図１０】第２の位置に移動した演出装置を斜め後方から見たときの斜視図である。
【図１１】第２の位置に移動した演出装置の右側面図である。
【図１２】第２の位置に移動した演出装置を前方から見たときの正面図である。
【図１３】第２の位置に移動した演出装置を後方から見たときの背面図である。
【図１４】ベース部材が外され、第２の位置に移動した演出装置を前方から見たときの正面図である。
【図１５】ベース部材が外され、第２の位置に移動した演出装置を後方から見たときの背面図である。
【図１６】図８のＩ−Ｉ線断面図である。
【発明を実施するための形態】
【００１２】
〔遊技機の基本構成〕
本発明の一実施形態に係る遊技機について各図を参照して説明する。
【００１３】
以下、遊技機の基本的な構成について図面を参照して説明する。なお、以下の説明において、「上」、「下」、「左」、「右」、「表（前）」、及び「裏（後）」は、特に断らない限り、遊技機１を遊技者側から見た場合における各方向を示すものとする。
【００１４】
図１は、本実施形態の遊技機１の全体を示す模式図である。図２は、遊技機１に配される遊技盤７０を示す模式図である。
【００１５】
図１に示す遊技機１は、所謂パチンコ機である。この遊技機１には、遊技盤７０が機内部に配置されている。遊技盤７０上には、遊技球Ｐを射出する打球装置２０がそのハンドル部分を前面に露出させて設けられている。ここで遊技盤７０上とは遊技盤７０の盤面上をいう。遊技機１は、遊技者が打球装置２０のハンドルを操作することで遊技球Ｐを遊技盤７０上に射出する。そして、遊技盤７０上には、入賞口７６等のポケットが配されており、遊技盤７０上を転動流下する遊技球Ｐがこの入賞口７６等に入球した場合に、所定数の遊技球Ｐを払い出す。遊技機１は、上皿３０や下皿４０を備えており、遊技球Ｐは、この上皿３０や下皿４０に払い出されて貯留される。
【００１６】
このような遊技機１は、機体の外郭をなす縦長方形状の外枠１０を備えている。外枠１０は、遊技ホールの島設備に取り付け固定される。外枠１０の下部は、合成樹脂製の腰板ユニット１１で構成されている。外枠１０の開口前面側には、各種の遊技用構成部材をセットするために縦長方形状の中枠１２が開閉可能に取り付けられている。外枠１０には、一方の側縁部にヒンジ機構１３が設けられており、中枠１２は、ヒンジ機構１３に枢支されることで開閉可能となっている。
【００１７】
中枠１２の前面側には、機内部に配置された遊技盤７０を透視保護するためのガラス枠を備えた前枠１４と上皿３０とが、横開き状態で開閉可能に組み付けられている。この前枠１４と上皿３０も外枠１０に設けられたヒンジ機構１３で枢支されることで開閉可能となっている。中枠１２の前面側において上皿３０の下方には、下皿４０や打球装置２０のハンドルが装着されている。
【００１８】
上皿３０には、その左方側に機内部から払出される遊技球Ｐの上皿払出口３１が設けられている。入賞等により払い出された遊技球Ｐは、上皿払出口３１から上皿３０に排出される。そして、上皿３０に貯留されている遊技球Ｐは、機内へ取り込まれて、打球装置２０によって遊技盤７０に向けて発射される。上皿３０の前面には、上皿球抜きボタン３２が設けられている。上皿３０と下皿４０とは、図示しない球抜き通路で繋がっている。球抜き通路は、上皿球抜きボタン３２の押下操作によって開通し、上皿３０に貯留されている遊技球Ｐを下皿４０に向けて流下させる。
【００１９】
遊技機１は、入賞、図柄変動、大当り状態、リーチ状態などの各種遊技の状態に応じた各種の演出を行う。遊技機１の前面側には、各種音声を出力して音声演出を行うスピーカ５０が配置されている。スピーカ５０は、前枠１４や中枠１２の裏面に装着されており、装着部位に対応する遊技機１の表面には図示しない放音孔が複数形成されている。各スピーカ５０は、効果音等の各種音声を出力し、音声出力に基づく遊技演出を行う。また、前枠１４のほぼ全周を囲むように装飾ランプ７５が配置されている。各装飾ランプ７５は、ＬＥＤランプ等の発光体を備え、遊技の状態に応じて点灯または消灯して、発光装飾に基づく遊技演出を行う。
【００２０】
図２に示すように、遊技盤７０の前面には、外レール７１と内レール７２が敷設されている。外レール７１と内レール７２は、パチンコ遊技の主体となるほぼ円形の遊技領域７４を遊技盤７０上に区画形成する。内レール７２は、外レール７１の内側に敷設されている。外レール７１と内レール７２とは、遊技盤７０の左下方から左上方に向かって延設されており、打球装置２０から射出された遊技球Ｐを遊技領域７４に誘導する円弧状の誘導路７３を形成している。
【００２１】
遊技盤７０の遊技領域７４には、複数の入賞口７６が配されている。これらの各入賞口７６は、遊技盤７０から前方向に直立し、上方に開口を有するポケット形状を有する。ポケット内部には、遊技球Ｐを検知するセンサが配されている。遊技機１は、入賞口７６に遊技球Ｐが入球すると、センサがこの入球を検知したことを契機として所定球数の遊技球Ｐが上皿３０に払い出される。遊技盤７０の遊技領域７４の最下部には、いずれの入賞口７６にも入球せずにアウト球となった遊技球Ｐが入球するアウト球口７７が配設されている。このアウト球口７７は、アウト球を回収して内部へ送出し、機外排出を行うために設けられている。
【００２２】
遊技盤７０の遊技領域７４には、中央に開口を有した大型の枠体であるセンター役物１００が装着されている。センター役物１００には遊技球が転動し得るステージが設けられている。
【００２３】
遊技領域７４内であってセンター役物１００の下方には、始動口７９が設けられている。この始動口７９は、遊技盤７０から前方向に直立し、上方に開口を有するポケット形状を有する。ポケット内部には、遊技球Ｐを検知するセンサが配されている。遊技機１は、始動口７９に遊技球Ｐが入球すると、センサがこの入球を検知したことを契機として図柄変動ゲームを開始する。
【００２４】
センター役物１００の開口には、図柄表示部７８が配置されている。図柄表示部７８には、複数種類の図柄を変動させて複数列の図柄からなる図柄組み合わせを導出する図柄変動ゲームなどの表示演出の画像が表示される。
【００２５】
図柄変動ゲームにおいて図柄表示部７８では、複数種類の飾り図柄（以下、「飾図」と示す）を複数列で変動させて各列に飾図が表示される。飾図は、図柄表示部７８で行われる表示演出を多様化するために用いられる演出用の図柄である。
【００２６】
図柄表示部７８には、図柄変動ゲームで導出される３列の図柄毎に対応して、各列の図柄を停止表示させる３つの図柄表示位置ＨＰ１，ＨＰ２，ＨＰ３が定められている。停止表示では、図柄表示部７８の各図柄表示位置ＨＰ１〜ＨＰ３において図柄の種類を遊技者が識別可能な状態で図柄が表示される。この停止表示には図柄が一時的に停止している一旦停止表示と、図柄が確定的に停止している確定停止表示とがある。
【００２７】
そして、図柄表示部７８では、図柄変動ゲームが開始すると図柄が変動表示されるとともに、変動の停止によって各列の図柄表示位置ＨＰ１〜ＨＰ３に１つの図柄が一旦停止表示され、その後に図柄変動ゲームが終了すると各列の図柄表示位置ＨＰ１〜ＨＰ３に１つの図柄が確定停止表示される。変動表示では、図柄表示部７８において図柄が予め定めた表示順序にしたがって変動しながら表示される。
【００２８】
図柄変動ゲームでは、各列に［１］〜［８］の８種類の数字が飾図として表示可能とされている。そして、図柄表示部７８で図柄変動ゲームが開始すると、各列の図柄は、予め定められた表示順序で図柄表示部７８の上方から下方にスクロールさせながら変動表示されるようになっている。
【００２９】
図柄表示部７８には、当該図柄表示部７８に定められる３つの図柄表示位置ＨＰ１〜ＨＰ３を結んでなる組み合わせ有効ラインＬが形成されている。なお、図２では、説明の便宜上、各図柄表示位置ＨＰ１〜ＨＰ３、及び有効ラインＬを図示しているが、実機においては、これらの図柄表示位置ＨＰ１〜ＨＰ３、及び有効ラインＬが目視可能な状態で表示されている必要はない。有効ラインＬに停止表示された３つの図柄からなる図柄組み合わせが、大当りか否かを遊技者に認識させるための有効な図柄組み合わせとなる。
【００３０】
図柄変動ゲームでは、有効ラインＬに停止表示させる３列の飾図を同一の飾図として形成した図柄組み合わせを、内部抽選で大当りを決定した場合に図柄表示部７８に確定停止表示させる飾図の大当り図柄としている。例えば、飾図による大当りの図柄組み合わせは、［１１１］や［７７７］などである。一方、有効ラインＬに停止表示させる３列の飾図を同一の飾図とせずに形成した図柄組み合わせを、内部抽選ではずれを決定した場合に演出表示装置に確定停止表示させる飾図のはずれ図柄としている。３列の飾図が同一の飾図とならない場合には、３列の飾図の全てが異なる場合や、２列の飾図が同一で、かつ１列の飾図が異なる場合が含まれる。例えば、飾図のはずれ図柄組み合わせは、［１２３］、［１１５］、［７６７］や［８８９］などである。
【００３１】
始動口７９の下方には、大入賞口８０が配されている。大入賞口８０は、開閉動作可能な開閉扉８０ａで閉じられている。開閉扉８０ａは、図柄変動ゲームで大当りが決定されると、予め定めた開放時間や開放回数で開動作し、遊技球Ｐの入球を許容する。そして、大入賞口８０には、遊技球Ｐを検知するセンサが設けられており、遊技機１は、大入賞口８０への入球を検知すると、所定球数の遊技球Ｐを払い出す。
【００３２】
センター役物１００は、遊技機１の前後方向に所定の厚みを有しており、遊技盤７０の前面から少なくとも遊技球Ｐの直径以上の厚み分突出して取り付けられている。センター役物１００の枠体は、枠体上部１００ａ及び枠体下部１００ｂを有する。枠体上部１００ａは、図柄表示部７８の上方において遊技領域７４を左右に横断している。枠体下部１００ｂは、図柄表示部７８の下方において遊技領域７４を左右に横断している。センター役物１００のステージ１２２を転動する遊技球が勢い余って、裏ユニット（後述する）側に飛び出さないように仕切壁としての役割を担う仕切板１２０が設けられている。仕切板１２０は、図柄表示部７８の表示を妨げないように透光性を有している。
【００３３】
遊技盤７０は裏ユニット（図示省略）を有している。なお、裏ユニットを含めて遊技盤７０という場合がある。
【００３４】
裏ユニットは遊技盤７０の背面に配設されている。裏ユニットの背面に図柄表示部７８が取り付けられている。裏ユニットには図柄表示部７８に対応するように開口が設けられている。
【００３５】
裏ユニットは、それと遊技盤７０との間にスペースが画成されるように略コ字状に形成されている。画成されたスペースには、図示省略した演出装置を設けるための設置スペースとして用いられる。ここで、演出装置の一例としては、可動体、それを駆動させる力を発生する駆動部、駆動部の力を可動体に伝える機構を含むものとする。遊技盤７０は、遊技盤７０を介して図柄表示部７８及び可動体を視認することが可能なように、例えばアクリル樹脂材で形成され、その全体が透過性を有している。
【００３６】
これらの隙間はその周囲に様々な部品を設ける必要性から、前後方向、左右方向、及び上下方向に制限を受けるため、演出装置は可能な限り小型であることが好ましい。そのためには、演出装置を構成する部品の数を削減すればよいが、演出装置には可動体による多彩な可動演出を実現することが求められるから、可動体の数を削減し難いので、可動体以外の構成部品の数を削減することとなる。
【００３７】
〔演出装置の主構成〕
以上、遊技機１の基本的な構成について説明した。次に、演出装置２００の主な構成について、図３〜図５、図１２及び図１３を参照して説明する。
【００３８】
図３は第１の位置に移動した演出装置２００を後から見たときの概念図、図４は第１の位置と第２の位置との間の中間位置に移動した演出装置２００を後から見たときの概念図、図５は第２の位置に移動した演出装置を後から見たときの概念図、図１２は、第２の位置に移動した演出装置２００を前方から見たときの正面図、図１３は、第２の位置に移動した演出装置を後方から見たときの背面図である。
【００３９】
なお、第１の位置または第２の位置というときは、演出装置２００全体の位置を説明するときに用いる場合と、演出装置２００を構成する部品の位置を説明するときに用いる場合とがある。また、第１の位置及び第２の位置とは、遊技盤７０の上端部、下端部、右端部、左端部、及び角部を含む周縁部、並びに中央部のいずれの位置も含むものとする。この実施形態では、第１の位置の一例として遊技盤７０の端縁部を、第２の位置の一例として遊技盤７０の中央部を用いて説明する。
【００４０】
図１２及び図１３に示すように、演出装置２００は、ベース部材２１０、動力部２２０、支持部材２３０、メイン可動体３００、及びサブ可動体４００を有する。
【００４１】
ベース部材２１０は、遊技盤７０を構成する裏ユニットの上端部に設けられている。
【００４２】
動力部２２０は、動力を発生するもので、ベース部材２１０に設けられている。なお、動力部２２０を、ベース部材２１０以外の演出装置２００の部品または遊技盤７０に設けてもよい。動力部２２０の詳細については後述する。
【００４３】
支持部材２３０はベース部材２１０に設けられている。支持部材２３０は、第１リンク部材２３１及び第２リンク部材２３２を有している。
【００４４】
メイン可動体３００は、第１リンク部材２３１及び第２リンク部材２３２により支持されている。
【００４５】
さらに、ベース部材２１０、第１リンク部材２３１、第２リンク部材２３２、及びメイン可動体３００が、軸部材Ａ、Ｂ、Ｃ及びＤにより接続されている。
【００４６】
このような接続関係により、メイン可動体３００は図３に示す第１の位置（ベース部材２１０が設けられた遊技盤７０の上端部側の位置）と図５に示す第２の位置（遊技盤７０の中央部側の位置）との間を上下方向に往復移動するように支持されている。なお、接続関係の詳細については後述する。
【００４７】
なお、図３から図５においては、ベース部材２１０、第１リンク部材２３１、及び第２リンク部材２３２を直線で概念的に表し、また、メイン可動体３００及びサブ可動体４００を想像線で簡略化して表し、さらに、メイン可動体３００及びサブ可動体４００を、直線３００ａ及び直線４００ａで概念的に表した。
【００４８】
〔ベース部材〕
次に、ベース部材２１０について図１〜図５を参照して説明する。
【００４９】
ベース部材２１０は、遊技盤７０を構成する裏ユニットに設けられている。
【００５０】
〔動力部〕
次に、動力部について図３、図５、図１４及び図１５を参照して説明する。図１４はベース部材２１０が外され、第２の位置に移動した演出装置２００を前方から見たときの正面図、図１５はベース部材２１０が外され、第２の位置に移動した演出装置２００を後方から見たときの背面図である。
【００５１】
図１４及び図１５に示すように、動力部２２０は、電動モータＭ、原動ギア２２１、第１ギア２２２、第１プーリ２２３、アイドルギア２２４、第２ギア２２５、第２プーリ２２６、第１ピン２２７、及び第２ピン２２８を有している。
【００５２】
原動ギア２２１は、電動モータＭの出力軸に固定されている。第１ギア２２２は原動ギア２２１と噛み合っている。第１プーリ２２３は、第１ギア２２２と一体的に回転する。アイドルギア２２４は、第１ギア２２２と噛み合っている。
【００５３】
第２ギア２２５は、アイドルギア２２４に噛み合っている。第２プーリ２２６は、第２ギア２２５と一体的に回転する。
【００５４】
このようなギアの噛み合いにより、電動モータＭが発生する動力は、原動ギア２２１及び第１ギア２２２を介して第１プーリ２２３に伝達される。さらに、動力は、第１ギア２２からアイドルギア２２４及び第２ギア２２５を介して第２プーリ２２６に伝達される。
【００５５】
第１プーリ２２３には第１ピン２２７が設けられている。第１ピン２２７は、第１リンク部材２３１の上端部２３３に形成された長穴２３７に嵌合している。
【００５６】
第２プーリ２２６には第２ピン２２８が設けられている。第２ピン２２８は、第２リンク部材２３２の上端部２３４に形成された長穴２３８に嵌合している。  
【００５７】
電動モータＭの動力を受けて第１プーリ２２３が回転すると、第１ピン２２７が第１リンク部材２３１の長穴２３７に沿って移動することにより、第１リンク部材２３１を軸部材Ａ回りに回転させる。同様に、電動モータＭの動力を受けて第２プーリ２２６が回転すると、第２ピン２２８が第２リンク部材２３２の長穴２３８に沿って移動することにより、第２リンク部材２３２を軸部材Ｂ回りに回転させる。それにより、メイン可動体３００を第１の位置（図３に示す位置）と第２の位置（図５に示す位置）との間に往復移動させる。
【００５８】
〔支持部材〕
次に、支持部材２３０について図３〜図５及び図１２〜図１５を参照して説明する。
【００５９】
図３に示すように、第１リンク部材２３１の上端部２３３は、軸部材Ａによりベース部材２１０に軸支されている。同様に、第２リンク部材２３２の上端部２３４は、軸部材Ｂによりベース部材２１０に軸支されている。
【００６０】
第１リンク部材２３１の下端部２３５は、軸部材Ｃによりメイン可動体３００に軸支されている。第２リンク部材２３２の下端部２３６は、軸部材Ｄによりメイン可動体３００に軸支されている。
【００６１】
図３〜図５に示すように、第１リンク部材２３１には、電動モータＭの動力を受けてメイン可動体３００が第１位置と第２位置との間を移動するときに、サブ可動体４００を移動させる駆動機構が設けられている。駆動機構２４０の詳細については後述する。
【００６２】
〔メイン可動体〕
次に、メイン可動体３００について、図８、図１２及び図１６を参照して説明する。図１６は、図８のＩ−Ｉ線断面図である。
【００６３】
図１６に示すように、メイン可動体３００は、前側に配置された前面板３０１と、後側に配置された後面板３０２とを有する。前面板３０１は化粧板である。後面板３０２はガイド部３１０を有する。
【００６４】
（ガイド部）
ガイド部３１０は、互いに対向する一対の溝壁部３１１を有している。一対の溝壁部３１１は、壁前端３１２同士の間隔Ｌ１より壁後端３１３同士の間隔Ｌ２が狭くなる（Ｌ１＞Ｌ２）ように形成されている（図１６参照）。
【００６５】
一対の溝壁部３１１は、互いの間隔を保ちながら軸部材Ｅを中心とする円弧軌跡に沿うように設けられている。ガイド部３１０の一端３１４は、後述する係合部４５０を下方位置から嵌め込むように下方に開放されている（図８及び図９参照）。
【００６６】
〔サブ可動体〕
次に、サブ可動体４００について図３〜図８、図１３及び図１６を参照して説明する。図６は第１の位置に移動した演出装置２００を斜め前方から見たときの斜視図、図７は第１の位置に移動した演出装置２００を斜め後方から見たときの斜視図である。
【００６７】
図６、図７及び図１３に示すように、サブ可動体４００はメイン可動体３００の背後に設けられている。
【００６８】
図３〜図５及び図８に示すように、サブ可動体４００は、一端部４１０と他端部４２０との間において軸部材Ｅにより軸支されている。サブ可動体４００の一端部４１０の近傍には、第２リンク部材２３２の下端部２３６に設けられた後述する駆動機構２４０が設けられている。サブ可動体４００の一端部４１０には、駆動機構２４０のカム部２４１（後述する）に当接する当接端４１１が形成されている。
【００６９】
サブ可動体４００は、軸支された位置（軸部材Ｅの位置）を中心として回転することにより、メイン可動体３００の背後の隠蔽位置と、メイン可動体３００の背後から露出された露出位置との間を往復移動する。ここで、メイン可動体３００の背後とは、メイン可動体３００を構成するいずれかの部品の背後をいう。
【００７０】
サブ可動体４００は、その重心位置（図３にＧで示す位置）が軸部材Ｅの位置から他端部４２０寄りに設けられることにより、自重によって、軸部材Ｅを中心にして反時計回りに回転するように付勢され、カム部２４１に対する可動体４００の当接端４１１の当接状態が維持される。
【００７１】
（係合部）
次に、係合部４５０について図８及び図１６を参照して説明する。
【００７２】
図８に示すように、サブ可動体４００の一端部４１０と他端部４２０との間の中間部４３０には係合部４５０が設けられている。図１６に示すように、係合部４５０は中空部を有する軸体に形成されている。係合部４５０の一端部には大きな軸径を有する大径部４５１が形成されている。
【００７３】
図１６に示すように、サブ可動体４００の中間部４３０にはボス部４３１が設けられ、ボス部４３１にはカシメピン４３２が固定されている。カシメピン４３２は、中間部４３０から前方（メイン可動体３００の方向）に突出している。カシメピン４３２の後端寄りの位置には後述する伝達用ギア５０３が回転可能に支持されている。さらに、カシメピン４３２の前端寄りの位置には係合部４５０が回転可能に支持されている。カシメピン４３２の前端に設けられたワッシャ４３３により、伝達用ギア５０３及び係合部４５０が抜け止めされている。
【００７４】
係合部４５０はガイド部３１０の一対の溝壁部３１１の間に嵌合している。係合部４５０の大径部４５１の径Ｄ１は、間隔Ｌ１と間隔Ｌ２との間の幅に相当する長さを有している（図１６参照）。それにより、大径部４５１が、ガイド部３１０から抜け止めされる。この抜け止めにより、メイン可動体３００に対するサブ可動体４００の前後方向の動きが拘束される。
【００７５】
また、前述のように、ガイド部３１０の一対の溝壁部３１１は、互いの間隔を保ちながら軸部材Ｅを中心とする円弧軌跡に沿うように設けられているので、サブ可動体４００が軸部材Ｅを中心にして往復移動するときに、係合部４５０は一対の溝壁部３１１の間を移動することとなる。
【００７６】
（透光部）
次に、透光部について図８及び図１３を参照して説明する。
【００７７】
サブ可動体４００の少なくとも一部は、前後方向に光を透過させる透光部４６０として形成されている。
【００７８】
透光部４６０の一例としては、サブ可動体４００の他端部４２０に設けられ、軸部材Ｆにより回転可能に軸支される。透光部４６０は、後述する飾り車５０２及びその背後に重なるように配置された伝達用ギア５０３でもある。飾り車５０２及び伝達用ギア５０３の円周方向には、前後方向に光を透過させる透光孔４６１が所定間隔で複数設けられている。
【００７９】
なお、サブ可動体４００の一部を透光部４６０としたが、透光性を有する材料（透光材）によりサブ可動体４００を形成することにより、サブ可動体４００の全部を透光部４６０としてもよい。また、透光部４６０の一例として透光孔４６１を有するものを示したが、透光孔４６１に透光材を嵌め込んでもよく、透光孔４６１に相当する部分を透光材により形成してもよい。
【００８０】
〔駆動機構〕
次に、駆動機構２４０について図３〜図５、図８、図９及び図１２を参照して説明する。図８は第１の位置に移動した演出装置２００を前方から見たときの背面図、図９はベースが外され、第１の位置に移動した演出装置２００を後方から見たときの背面図である。
【００８１】
図３〜図５に示すように、支持部材２３０には、動力部２２０の動力を受けてメイン可動体３００が第１位置と第２位置との間を往復移動するとき、サブ可動体４００を隠蔽位置と露出位置との間において移動させる駆動機構２４０が設けられている。駆動機構２４０は、メイン可動体３００の往復移動に伴い回転するカム部２４１を有する。
【００８２】
カム部２４１は、第２リンク部材２３２の下端部２３６に設けられている。カム部２４１は、軸部材Ｃに対する距離が連続的に変化する（図３〜図５に示す）。この距離が最長となる位置をカム部２４１の始端、最短となる位置をカム部２４１の終端と呼ぶ。カム部２４１は、始端から終端にかけて軸部材Ｃまでの距離が徐々に短くなるように形成されている。
【００８３】
また、第２リンク部材２３２の下端部２３６には、カム部２４１の終端に連続する、軸部材Ｃまでの距離が一定になるように形成された円弧部２４２が設けられている。
【００８４】
カム部２４１は、当接端４１１を始端から終端まで相対移動させることで、サブ可動体４００を付勢力に抗して図３、図８及び図９に示す隠蔽位置から図５及び図１２に示す露出位置に移動させ、また、当接端４１１を終端から始端まで相対移動させることで、付勢力により露出位置から隠蔽位置に移動させる。すなわち、駆動機構２４０は、サブ可動体４００を隠蔽位置と露出位置との間に往復移動させる。
【００８５】
〔その他の機構〕
（飾り車機構）
遊技機１には、飾り車機構５００が設けられている。飾り車機構５００について図１０〜図１３を参照して説明する。図１０は第２の位置に移動した演出装置２００を斜め後方から見たときの斜視図、図１１は第２の位置に移動した演出装置２００の右側面図である。
【００８６】
図１０〜図１３に示すように、飾り車機構５００は、動力を発生する駆動源５０１、その動力の伝達先である飾り車５０２、動力を飾り車５０２に伝えるための伝達用ギア５０３を有している。
【００８７】
駆動源５０１は、第２リンク部材２３２の下端部に設けられている。飾り車５０２は、第１リンク部材２３１、第２リンク部材２３２、メイン可動体３００、及びサブ可動体４００の各部品の前面側に配されている。伝達用ギア５０３は、基本的には各部品の後面側に配されている。なお、飾り車５０２が伝達用ギア５０３の機能を兼ねる場合もあり、反対に、伝達用ギア５０３が飾り車５０２の機能を兼ねる場合もある。
【００８８】
飾り車機構５００においては、一つの駆動源５０１の動力を、伝達用ギア５０３を介して、各部品に設けられた飾り車５０２に伝えることにより、それらを回転させることが可能となる。
【００８９】
（アース機構）
次に、アース機構について図８を参照して説明する。演出装置２００を構成する構成部品にはアース機構が設けられている。それにより、構成部品が静電気を帯びるのを防止することが可能となる。
【００９０】
図８に示すように、アース機構の一例として、第１リンク部材２３１に接触するアース用部材３２０が用いられている。メイン可動体３００が第１位置に移動したとき、アース用部材が第１リンク部材２３１に接触するように構成されている。第１リンク部材２３１がベース部材２１０及び遊技機１本体を介して接地されているため、メイン可動体３００が帯びた静電気は、第１リンク部材２３１、ベース部材２１０及び遊技機１本体を介して放出される。
【００９１】
〔演出装置の動作〕
次に、演出装置２００の動作について図３から図５、図１２及び図１３を参照して説明する。
【００９２】
（第１位置〜第２位置）
図３に示す第１位置では、メイン可動体３００は遊技盤７０の上縁部側に配置されていて、枠体上部１００ａの背後に隠されている。また、サブ可動体４００には、隠蔽位置から露出位置に反時計回りに向かう付勢力が印加されている。しかし、サブ可動体４００の当接端４１１がカム部２４１の始端に当接しているため、付勢力による回転が阻止されている。それにより、サブ可動体４００は、メイン可動体３００の背後に隠れた隠蔽位置に拘束されている。
【００９３】
動力部２２０により、第１リンク部材２３１及び第２リンク部材２３２が反時計回りに回転すると、メイン可動体３００は下方に移動し、枠体上部１００ａの背後から現れる。第２リンク部材２３２の反時計回りの回転に伴い、カム部２４１が反時計回りに回転するため、サブ可動体４００の当接端４１１の当接位置が始端から終端に向かって移動する。それにより、サブ可動体４００は、軸部材Ｅを中心にして反時計回りに回転する。この反時計回の回転により、その一部をメイン可動体３００から露出させたサブ可動体４００を図４に示す。サブ可動体４００は、一端部４１０と他端部４２０との間において軸部材Ｅにより軸支されているので、一端部４１０が上方に移動すれば、他端部４２０が下方に移動することとなり、サブ可動体４００の多彩な動きを実現することが可能となる。
【００９４】
動力部２２０により、第１リンク部材２３１及び第２リンク部材２３２が反時計回りにさらに回転すると、メイン可動体３００はさらに下方の第２位置に移動する。すなわち、第２リンク部材２３２の反時計回りのさらなる回転に伴い、サブ可動体４００の当接端４１１が終端の位置まで移動すると、サブ可動体４００は、軸部材Ｅを中心にして反時計回りにさらに回転する。反時計回りに回転し、その他端部４２０をメイン可動体３００から露出させたサブ可動体４００を図５に示す。サブ可動体４００の他端部４２０が演出装置２００の中で最も低く位置するようになる。
【００９５】
すなわち、メイン可動体３００を移動させるための動力部２２０により、サブ可動体４００についても隠蔽位置から露出位置まで移動させることが可能となる。したがって、サブ可動体４００を移動させるための専用の動力部等を動力部２２０の他に設ける必要がなく、部品コスト、組み付けコストが低減され、専用の動力部等の設置スペースが不要となり、装置をコンパクトにすることが可能となる。また、専用の動力部等に代えてカム部という簡単な機構を用いることにより、サブ可動体４００を移動させることができるので、コストを低減することが可能となる。
【００９６】
また、サブ可動体４００は、その自重によりカム部２４１に対する当接状態を維持しているので、弾性部材等の付勢手段をわざわざ設ける必要がなく、この点でも、装置をコンパクトにすることが可能となる。
【００９７】
（第２位置〜第１位置）
図５に示す第２位置では、メイン可動体３００は遊技盤７０の中央部に移動している。遊技盤７０の中央部には図柄表示部７８が設けられており、サブ可動体４００の少なくとも一部（他端部４２０）が、図柄表示部７８の前方に配置されている。しかし、サブ可動体４００の他端部４２０は、前後方向に光を通す透光部４６０（図１２に示す透光孔４６１を有する飾り車５０２、図１３に示す透光孔４６１を有する伝達用ギア５０３）として形成されているので、他端部４２０が図柄表示部７８の前方に位置していても、遊技者は、透光部４６０を通して、図柄表示部７８により行われる図柄遊技を視認することが可能である。なお、第２位置では、サブ可動体４００の当接端４１１がカム部２４１の終端に当接している。
【００９８】
動力部２２０により、第１リンク部材２３１及び第２リンク部材２３２が時計回りに回転すると、メイン可動体３００は上方に移動する。第２リンク部材２３２の時計回りの回転に伴い、カム部２４１が時計回りに回転するため、サブ可動体４００の当接端４１１の当接位置が終端から始端に向かって移動する。それにより、サブ可動体４００は、軸部材Ｅを中心にして時計回りに回転する。この時計方向の回転により、その一部以外をメイン可動体３００の背後に隠したサブ可動体４００を図４に示す。サブ可動体４００は、一端部４１０と他端部４２０との間において軸部材Ｅにより軸支されているので、一端部４１０が下方に移動すれば、他端部４２０が上方に移動することとなり、サブ可動体４００の多彩な動きを実現することが可能となる。
【００９９】
動力部２２０により、第１リンク部材２３１及び第２リンク部材２３２が時計回りにさらに回転すると、メイン可動体３００はさらに上方の第１位置に移動する。すなわち、第２リンク部材２３２の時計回りのさらなる回転に伴い、サブ可動体４００の当接端４１１が始端の位置まで移動すると、サブ可動体４００は、軸部材Ｅを中心にして時計回りにさらに回転する。反時計回りに回転し、他端部４２０をメイン可動体３００の背後に位置させたサブ可動体４００を図３に示す。
【０１００】
以上に説明する演出装置２００の動作においては、メイン可動体３００が第１位置と第２位置との間を往復移動し、そのメイン可動体３００の動きに対応して、サブ可動体４００がメイン可動体３００の背後に隠れたり、メイン可動体３００の背後から露出したりするので、メイン可動体３００及びサブ可動体４００による多彩な可動演出を実現することが可能となる。
【０１０１】
係合部４５０と係合するガイド部３１０を設けたので、サブ可動体４００を隠蔽位置及び露出位置でそれぞれ保持するとともに、隠蔽位置と露出位置との間を移動するサブ可動体４００を保持することが可能となる。それにより、サブ可動体４００を円滑かつ安定して往復移動させることが可能となる。
【０１０２】
なお、実施形態では、カム部２４１を第２リンク部材２３２に設けたが、これに限らず、第１リンク部材２３１に設けてもよく、第１リンク部材２３１及び第２リンク部材２３２の両方に設けてもよい。
【０１０３】
また、カム部２４１の一例として、サブ可動体４００に設けられた当接端４１１を摺動させるカム面を示したが、これに限らない。たとえば、サブ可動体４００に設けられたピン部材をその溝に沿って相対移動させるカム溝であってもよい。
【０１０４】
さらに、ガイド部３１０をメイン可動体３００に設け、係合部４５０をサブ可動体４００に設けたが、逆の態様であってもよい。すなわち、ガイド部をサブ可動体４００に設け、係合部をメイン可動体に設けてもよい。
【符号の説明】
【０１０５】
１  遊技機
７８  図柄表示部
１００  センター役物
２００  演出装置
２１０  ベース部材
２２０  動力部
２３０  支持部材
２３１  第１リンク部材
２３２  第２リンク部材
２４０  駆動機構
２４１  カム部
３００  メイン可動体
３１０  ガイド部
４００  サブ可動体
４６０  透光部
５００  飾り車機構
【図１】
0005611898.tif 000002
【図２】
0005611898.tif 000003
【図３】
0005611898.tif 000004
【図４】
0005611898.tif 000005
【図５】
0005611898.tif 000006
【図６】
0005611898.tif 000007
【図７】
0005611898.tif 000008
【図８】
0005611898.tif 000009
【図９】
0005611898.tif 000010
【図１０】
0005611898.tif 000011
【図１１】
0005611898.tif 000012
【図１２】
0005611898.tif 000013
【図１３】
0005611898.tif 000014
【図１４】
0005611898.tif 000015
【図１５】
0005611898.tif 000016
【図１６】
0005611898.tif 000017